(57)【要約】  隣接基地局からの報告による方法を用いずとも、隣接するセル間において参照信号の同期が取れていない環境におけるセルＩＤの異常を検出する方法の提供。移動局（ＵＥ）は、呼接続中のセルとの参照信号の同期が外れ、再度、当該セルと同一ＩＤのセルとの同期が取れた後に、前記呼接続が解放されてしまった事象の発生を記憶する。移動局（ＵＥ）、次に呼接続された際に、セルＩＤとともに前記事象の発生を基地局に通知する（図３）。
2010090232.tif 000002
【特許請求の範囲】
【請求項１】
呼接続中のセルとの参照信号の同期が外れ、再度、当該セルと同一ＩＤのセルとの同期が取れた後に、前記呼接続が解放されてしまった事象の発生を記憶する手段と、
次に、呼接続した際に、セルＩＤとともに前記事象の発生を基地局に通知する手段とを備える移動局。
【請求項２】
呼接続中のセルとの参照信号の同期が外れ、再度、当該セルと同一ＩＤのセルとの同期が取れた後に、前記呼接続が解放されてしまった事象は、
移動局が、同一のセルＩＤが設定された２つの基地局から送信された同一の参照信号のうち、第１の基地局から送信された参照信号にて同期して呼接続状態となった後、同期が取れなくなり、次に、第２の基地局から送信された参照信号にて同期した後、第２の基地局から呼解放されることにより発生する請求項１の移動局。
【請求項３】
セルと呼接続するための信号送受信を行う呼処理部と、
セルから受信した参照信号に基づいてセルとの同期が取れているか否かを前記呼処理部に通知する参照信号受信部と、を備え、
（１）呼接続中のセルとの参照信号の同期が外れたこと、
（２）その後、当該セルと同一ＩＤのセルとの同期が取れたこと、
（３）その後、同一ＩＤのセルから呼解放されてしまったこと、
前記（１）から（３）の条件が成立した場合に、メモリにセルＩＤを記憶し、次に、任意の基地局と呼接続した際に、前記セルＩＤとともに同一セルＩＤが設定されていること、前記基地局に通知し、
隣接するセル間において参照信号の同期が保証されていない環境におけるセルＩＤの異常を報告できる移動局。
【請求項４】
さらに、
参照信号の受信電力が所定のしきい値を超え、かつ、報知情報が復号できなかった第２の事象の発生を記憶し、次に、呼接続した際に、セルＩＤとともに前記第２の事象の発生を基地局に通知する機能を備えた請求項１から３いずれか一に記載の移動局。
【請求項５】
請求項１から４いずれか一の移動局を含む無線通信システム。
【請求項６】
呼接続中のセルとの参照信号の同期が外れ、再度、当該セルと同一ＩＤのセルとの同期が取れた後に、前記呼接続が解放されてしまった事象の発生を記憶するステップと、
次に呼接続した際に、セルＩＤとともに前記事象の発生を基地局に通知するステップとを含み、
隣接するセル間において参照信号の同期が保証されていない環境におけるセルＩＤの異常検出方法。
【請求項７】
呼接続中のセルとの参照信号の同期が外れ、再度、当該セルと同一ＩＤのセルとの同期が取れた後に、前記呼接続が解放されてしまった事象の発生を記憶する処理と、
次に呼接続した際に、セルＩＤとともに前記事象の発生を基地局に通知する処理とを移動局に搭載されたコンピュータに実行させ、
隣接するセル間において参照信号の同期が保証されていない環境におけるセルＩＤの異常を報告させるプログラム。
【発明の詳細な説明】
【技術分野】
【０００１】
（関連出願）本願は、先の日本特許出願２００９−０２４１７８号（２００９年２月４日出願）の優先権を主張するものであり、前記先の出願の全記載内容は、本書に引用をもって繰込み記載されているものとみなされる。
本発明は、移動局、無線通信システム、セルＩＤの異常検出方法およびプログラムに関し、特に、隣接するセル間において参照信号の同期が取れていない環境におけるセルＩＤの異常検出機能を備えた移動局、無線通信システム、セルＩＤの異常検出方法およびプログラムに関する。
【背景技術】
【０００２】
ＬＴＥ（Ｌｏｎｇ  Ｔｅｒｍ  Ｅｖｏｌｕｔｉｏｎ）において、セルを識別するための識別子としてＰｈｙｓｉｃａｌ  Ｃｅｌｌ  ＩＤ（物理セルＩＤ、以下、「セルＩＤ」とする。）というものがある。ＬＴＥにおけるセルＩＤは、ビット数等の制限から５０４通りのセルＩＤを繰り返し使用しなければならないという制約がある。【０００３】
セルＩＤの割り当ては以下の２条件を満たす必要がある。
ａ．隣接したセルは同一のセルＩＤを持つべきでない。
ｂ．またあるセルに隣接するセル同士は同一のセルＩＤを持つべきではない。
上記２点を満たすようにセル割り当てを自動化する手法が検討されている。【０００４】
この検討課題を３ＧＰＰにおいては“Ａｕｔｏｍａｔｅｄ  Ｃｏｎｆｉｇｕｒａｔｉｏｎ  ｏｆ  Ｐｈｙｓｉｃａｌ  Ｃｅｌｌ  ＩＤ”と呼んでいる。【０００５】
上記２つの条件を満たす方法として以下の２つの手法が考えられる。
１．上記２条件を満たすような配置
２．不運にも２条件を満足しなかったときの検出（Ｐｈｙｓｉｃａｌ  Ｃｅｌｌ  ＩＤ  Ｃｏｌｌｉｓｉｏｎの検出；非特許文献１参照）【０００６】
ここでは、上記２．不運にも２条件を満足しなかったときの検出について着目する。この検出方法としては、以下の２つ方法が考えられる。
（１）移動局（Ｕｓｅｒ  Ｅｎｔｉｔｙ、以下、ＵＥと略する。）からの基地局への報告を利用する
（２）隣接基地局からの報告を利用する【０００７】
図４は、上記（２）の方法を用いて、上記条件ｂ．に反するセルＩＤが設定されたことを検出した際のシーケンスである。図５は、上記（２）の方法を用いて、上記条件ａに反するＣｅｌｌ  ＩＤが設定されたことを検出した際のシーケンスである。以上のように、隣接基地局からの報告を利用することで、上記２条件に反するセルＩＤが設定されていることを検出できる。【０００８】
上記（２）隣接基地局からの報告を利用する方法は、隣接セルＩＤの相互に報告するための通信網がある場合にのみ、採用できる。【０００９】
例えば、図６のように、基地局Ａ−Ｂ、基地局Ａ−Ｃ間は、通信線（図中破線）があり、セルＡ、セルＢにおいて同一のセルＩＤが設定されたことを相互に報告を行うことができるが、基地局Ｂ−Ｃ間は通信線がなく、セルＣ、セルＤにおいてにおいて同一のセルＩＤが設定されたことを検出する術はない。【００１０】
非特許文献２に、上記（１）のＵＥからの基地局への報告を利用して同一のセルＩＤの設定を検出する方法が提案されている。以下、非特許文献２の同一のセルＩＤの設定の検出方法について、図７を用いて説明する。【００１１】
図７において、セルＣは参照信号（Ｒｅｆｅｒｅｎｃｅ  Ｓｉｇｎａｌ；以下、「ＲＳ」と略する。）を定期的に送信する。セルＤは、セルＣと同一のセルＩＤが設定されてしまったセルであり、セルＣと同期して、ＲＳを定期的に送信する。ＲＳは、ＬＴＥでは、１８０ｋＨｚが割り当てられて、１ｍｓ当り８回送信され、ＵＥにおける受信品質の測定に用いられる信号である。セルＣとセルＤは、図７に示すとおり、同じ時間において同一信号を送信する同期した状態となっているものとする。【００１２】
セルＣの圏内にあるＵＥは、自らが基地局に報告したＲＳ受信品質を基にして変調・符号化して送信された他の受信信号を復調・復号する。【００１３】
上記ＲＳは、セルＩＤに固有の周波数に配置される。また、ＲＳは、セルＩＤに固有の符号から成る。従って、ＵＥは、同一セルＩＤを持つ２つのセルから送信されるＲＳを、受信時間を除き区別できない。【００１４】
また、セルＣ、ＤはＢＣＨ（報知チャネル；（Ｂｒｏａｄｃａｓｔ  ＣＨａｎｎｅｌ）を介して報知情報を定期的に送信する。この報知情報は、セルに固有の情報を持つ。セルＩＤは同一であっても報知情報には規制、無線チャネル設定などの情報が含まれるため、例えば、図７のセルＣ、セルＤから送信される報知情報は、別の情報を含むことがありえる。【００１５】
従いＵＥは同一時間（ｔ１、ｔ２）において、セルＣおよびセルＤそれぞれから送信されたＲＳおよび報知情報を受信できる。【００１６】
あるセルＸにおけるＲＳ送信時間Ｔ＿ＲＳ＿ｘとすると、セルＣのＲＳ送信時間はＴ＿ＲＳ＿ｃ＝Ｔ＿ｏｆｆｓｅｔ＿ｃ＋ｎ＊Ｔ＿ＲＳ＿ｐｅｒｉｏｄと表すことができる。ここで、セルＣとセルＤが同期している状態では、Ｔ＿ｏｆｆｓｅｔ＿ｄ＝Ｔ＿ｏｆｆｓｅｔ＿ｃであるから、セルＣとセルＤのＲＳ送信時間は、一致する（Ｔ＿ＲＳ＿ｄ＝Ｔ＿ＲＳ＿ｃ）。【００１７】
ここで、Ｔ＿ｏｆｆｓｅｔ＿ｘはセルＸにおけるＲＳ送信ｏｆｆｓｅｔ値、ｎはＲＳ送信回数、Ｔ＿ＲＳ＿ｐｅｒｉｏｄはＲＳ送信間隔である。また、ＲＳ送信回数ｎおよびＲＳ送信間隔Ｔ＿ＲＳ＿ｐｅｒｉｏｄはセルに依らず一意である。【００１８】
この際、ＵＥは１つのセルから受信したＲＳよりも受信電力が大きくなる。なぜならば異なるセルから同一のＲＳを同一時間において受信する空間ダイバーシティ効果が得られるためである。【００１９】
一方、報知情報はセルＣおよびセルＤにおいて内容が異なる。そのため、ＵＥは報知情報を受信しても干渉により信号の内容を理解できない。このようにＲＳ受信電力が通常よりも高いにもかかわらず報知情報の復号に失敗した事象の発生を、同一セルＩＤ検出条件とし、ＵＥは記憶しておく。【００２０】
そして、正常に呼接続できた際に、ＵＥは、上記記憶内容を基地局に通知する。これにより。基地局は、報告を受けたセルの付近において（隣接しているとは限らないが）、既出の条件ａまたは条件ｂを満たしていないことを知る。
【先行技術文献】
【非特許文献】
【００２１】
【非特許文献１】３ＧＰＰ  ＲＡＮ  ＷＧ２，Ｒ１−０７５０９９、「Ｒｅｓｐｏｎｓｅ  ｔｏ  ＬＳ  ｏｎ  Ｐｈｙｓｉｃａｌ−ｌａｙｅｒ  Ｃｅｌｌ  ＩＤｅｎｔｉｔｙ  Ｃｏｌｌｉｓｉｏｎ」、［online］、［平成21年1月29日検索］、インターネット〈URL：http://www.3gpp.org/ftp/tsg_ran/WG1_RL1/TSGR1_51/Docs/R1-075099.zip〉
【非特許文献２】３ＧＰＰ  ＲＡＮ  ＷＧ２，Ｒ２−０８５３８０、「ＵＥ−ａｓｓｉｓｔｅｄ  ｈｅｕｒｉｓｔｉｃ  ｄｅｔｅｃｔｉｏｎ  ｏｆ  ＰＣＩ  ｃｏｌｌｉｓｉｏｎ」、［online］、［平成21年1月29日検索］、インターネット〈URL：http://www.3gpp.org/ftp/tsg_ran/WG2_RL2/TSGR2_63bis/Docs/R2-085380.zip〉
【発明の概要】
【発明が解決しようとする課題】
【００２２】
なお、上記非特許文献の全開示内容はその引用をもって本書に繰込み記載する。以下の分析は、本発明によって与えられたものである。
しかしながら、上記非特許文献２の同一セルＩＤ検出方法においては、次のような課題がある。第１の課題は、セル間同期を前提としているため、セル間非同期における同一セルＩＤを検出できないということである。【００２３】
ここで、セル間非同期とは、ＲＳを送信する時間が一致しない状態にあることをいう。セルＣとセルＤがＣｅｌｌ間非同期の関係にあるならば、セルＤのＲＳ送信オフセット値Ｔ＿ｏｆｆｓｅｔ＿ｄはセルＣのＲＳ送信オフセット値Ｔ＿ｏｆｆｓｅｔ＿ｃと一致せず、ＲＳ送信時間Ｔ＿ＲＳ＿ｄとＴ＿ＲＳ＿ｃは一致しない。【００２４】
上記のようにセル間非同期において、非特許文献２の方法では同一セルＩＤを検出できない理由について、図８を用いて説明する。【００２５】
ＵＥは、時刻ｔ１１にて先に送信されたセルＣのＲＳを受信したのを機に、時刻ｔ１３にてセルＣの報知情報を受信、復号する。その後、ＵＥは、セルＣと呼接続する。【００２６】
一方、セルＤのＲＳ送信時間は、セルＣのＲＳの送信時間と異なっているため、２つのＲＳはダイバーシティ効果を得ることが無い。【００２７】
またセルＤの報知情報送信時間（ｔ１４）は、セルＣの報知情報送信時間（ｔ１３）と異なっているため、ＵＥは、干渉を受けることなくセルＣの報知情報を受信することができる。【００２８】
よって、セル間非同期の場合、上記非特許文献２の同一セルＩＤ検出方法では、ＵＥから、同一セルＩＤの報告がなされることはないのである。【００２９】
その一方で、セル間非同期における同一セルＩＤが設定されると、下記のような特有の現象が発生する。以下、この特有現象について図８、図９を用いて説明する。【００３０】
図８のように、ＵＥはセルＣと呼接続している。また、ＵＥはセルＣと同期している。
ＵＥとセルの同期とは実際のＲＳ受信時間とＵＥが期待するＲＳ受信時間が一致することを指す。【００３１】
その後、ＵＥ−基地局間の見通しが悪くなる、ＵＥが干渉の多い地点を通過する等の何らかの理由によりＵＥ−セルＣ間の同期が外れたものとする（図９の同期外れ）。【００３２】
本来であれば、ＵＥは、図９の上段に示したセルＣから次に送信されるＲＳを受信すべきである。しかしながら、ＵＥは、先に送信されるセルＤからの同一のＲＳを検知して、同期してしまう。【００３３】
一方、セルＤは、元々ＵＥと呼接続していないためＵＥ−セルＤ間はその後の接続を維持することが出来なくなり、呼解放となる。【００３４】
本発明は、上記したセル間非同期における特有事象を利用して、セル間非同期における同一セルＩＤが設定されたことを検出することのできる方法を提供することを目的とする。
【課題を解決するための手段】
【００３５】
本発明の第１の視点によれば、隣接するセル間において参照信号の同期が保証されていない環境におけるセルＩＤの異常を報告できる移動局（ＵＥ）が提供される。この移動局は、呼接続中のセルとの参照信号の同期が外れ、再度、当該セルと同一ＩＤのセルとの同期が取れた後に、前記呼接続が解放されてしまった事象の発生を記憶する手段（記憶部）と、次に呼接続された際に、セルＩＤとともに前記事象の発生を基地局に通知する手段(呼処理部)とを備える。【００３６】
本発明の第２の視点によれば、呼接続中のセルとの参照信号の同期が外れ、再度、当該セルと同一ＩＤのセルとの同期が取れた後に、前記呼接続が解放されてしまった事象の発生を記憶するステップと、次に呼接続された際に、セルＩＤとともに前記事象の発生を基地局に通知するステップとを含み、隣接するセル間において参照信号の同期が保証されていない環境におけるセルＩＤの異常検出方法が提供される。【００３７】
本発明の第３の視点によれば、呼接続中のセルとの参照信号の同期が外れ、再度、当該セルと同一ＩＤのセルとの同期が取れた後に、前記呼接続が解放されてしまった事象の発生を記憶する処理と、次に呼接続された際に、セルＩＤとともに前記事象の発生を基地局に通知する処理とを移動局に搭載されたコンピュータに実行させ、隣接するセル間において参照信号の同期が保証されていない環境におけるセルＩＤの異常を報告させるプログラムが提供される。
【発明の効果】
【００３８】
本発明によれば、隣接基地局からの報告による方法を用いずとも、移動局を用いて、隣接するセル間において参照信号の同期が取れていない環境におけるセルＩＤの異常を検出することが可能となる。
【図面の簡単な説明】
【００３９】
【図１】本発明の概要を説明するための図である。
【図２】本発明の第１の実施形態に係る移動局（ＵＥ）と基地局の構成を表したブロック図である。
【図３】本発明の第１の実施形態に係る移動局（ＵＥ）と基地局の動作を表したシーケンス図である。
【図４】隣接基地局からの報告によるセルＩＤの異常検出方法を説明するための図である。
【図５】隣接基地局からの報告によるセルＩＤの異常検出方法を説明するための別の図である。
【図６】隣接基地局からの報告によるセルＩＤの異常検出方法を用いることができないケースを説明するための図である。
【図７】非特許文献２のセルＩＤの異常検出方法を説明するための図である。
【図８】非特許文献２のセルＩＤの異常検出方法では検出できない場合を説明するための図である。
【図９】隣接するセル間において参照信号の同期が取れていない環境における特有の現象を説明するための図である。
【発明を実施するための形態】
【００４０】
はじめに本発明の概要について図１を用いて説明する。上述のように、セル同士が非同期である環境において、一つのセル（図１のセルＣ、セルＩＤ＝ｙ）と呼接続状態かつ同期状態にあるＵＥが、何らかの理由により、当該セル（図１のセルＣ）との同期ができなくなった状態となり（図１の同期外れ）、その後、同一のセルＩＤ（セルＩＤ＝ｙ）を持つ別のセル（図１のセルＤ）からのＲＳを受信して同期を取るが、当該別のセルから呼接続を解放されてしまった事象が発生すると（図１の同一セルＩＤ検出条件成立）、当該ＵＥは、その事象の発生を、その記憶装置に記憶しておく。
【００４１】
そして、次に、例えば、任意のセルとの呼接続した際に、ＵＥは、基地局に、セルＩＤとともに前記事象の発生を報告する。
【００４２】
以上により、隣接するセル間においてＲＳの非同期環境におけるセルＩＤの異常（上述の条件ａ、ｂの不充足）を検出することが可能となる。具体的には、セル配置中の、セルＩＤ＝ｙを持つ基地局のセルを含めた周辺セルにおいて上記条件ａまたはｂを満たしていないことを検出することが可能になる。
【００４３】
［第１の実施形態］
続いて、本発明の第１の実施形態について図面を参照して詳細に説明する。図２は、本発明の第１の実施形態に係る移動局（ＵＥ）と基地局の構成を表したブロック図である。
【００４４】
図２を参照すると、本発明の第１の実施形態に係る移動局（ＵＥ）１０は、呼処理部１１と、ＲＳ同期部１２と備えている。
【００４５】
呼処理部１１はセル（基地局）との呼接続するための信号送受信を行うとともに、後記する同一セルＩＤ検出条件が成立した際に当該事象が発生したセルＩＤを図示省略するメモリに記憶し、次に再び接続した際に基地局２０に対し、特定のセルにおいて同一セルＩＤを検出した旨の報告を行う。
【００４６】
前記同一セルＩＤ検出条件は、下記（１）〜（３）が発生することによって成立する。
（１）呼接続中のセルとの参照信号の同期が外れたこと
（２）その後、当該セルと同一ＩＤのセルとの同期が取れたこと
（３）その後、同一ＩＤのセルから呼解放されてしまったこと
【００４７】
ＲＳ同期部１２はＲＳを受信し、ＵＥ−セル間同期が取れているか確認する。ＲＳ同期部１２はＵＥ−セル間同期が取れたとき、および、ＵＥ−セル間同期が外れたときに、呼処理部１１にそれぞれ通知を行う。
【００４８】
基地局２０は、呼処理部２１と、ＲＳ送信部２２と備えている。
【００４９】
呼処理部２１は、ＵＥ１０との呼接続するための信号送受信を行う。ＲＳ送信部２２は、セルＩＤ、ＲＳ送信ｏｆｆｓｅｔ、ＲＳ送信間隔、ＲＳ周波数配置という設定に応じてＲＳ送信を行う。
【００５０】
上記した図２のＵＥおよび基地局のその他の構成は、当業者にとってよく知られており、また本発明とは直接関係しないので、その詳細な構成は省略する。
【００５１】
続いて、本実施形態の動作について図面を参照して詳細に説明する。図３は、本発明の第１の実施形態に係る移動局（ＵＥ）と基地局の動作を表したシーケンス図である。以下の説明では、ある基地局（基地局２０Ａ）の配下のセルＣと、別の基地局（基地局２０Ｂ）の配下のセルＤとにそれぞれ同一のセルＩＤ（セルＩＤ＝ｙとする）が設定されてしまったものとし、セルＣとセルＤは、ＲＳが同期していないセル間非同期の関係にあるものとする。
【００５２】
図３を参照すると、まず、ＵＥ１０のＲＳ同期部１２は、セルＣから送信されるＲＳを受信し、ＵＥ１０とセルＣが同期した状態となる（ステップＳ００１）。
【００５３】
次に、ＵＥ１０のＲＳ同期部１２は、ＵＥ１０の呼処理部１１に対してＵＥ−セル間同期が取れたことを通知する（ステップＳ００２）。なお、この通知にはセルＩＤが含まれる。
【００５４】
次に、前記通知を受けたＵＥ１０の呼処理部１１と、基地局２０Ａの呼処理部２１との間で呼接続に関係する信号が送受信され、呼接続状態となる（ステップＳ００３）。
【００５５】
何らかの理由でＲＳを正常に受信できなくなると、ＵＥ１０のＲＳ同期部１２は、ＵＥ−セルＣ間の同期が外れたことを検出する（ステップＳ００４）。
【００５６】
前記ＵＥ−セルＣ間の同期外れを検出すると、ＵＥ１０のＲＳ同期部１２は、ＵＥ１０の呼処理部１１に対して、ＵＥ−セル間同期が外れたことを通知する（ステップＳ００５）。
【００５７】
次に、ＵＥ１０のＲＳ同期部１２は、セルＤからのＲＳを検出し、ＵＥ１０とセルＤが同期した状態となる（ステップ００６）。なおセルＣとセルＤのセルＩＤが同一であるとの前提から、セルＤからのＲＳとセルＣからのＲＳは送信時間（ＲＳ送信ｏｆｆｓｅｔに依る）を除けば同一である。本来ならば、セルＣのＲＳを検出し、セルＣと再同期状態となるべきであるが、異なるＲＳ送信ｏｆｆｓｅｔのため、最初に検出したセルＤのＲＳが受信されてしまう。
【００５８】
ここでも、ＵＥ１０のＲＳ同期部１２は、ＵＥ１０の呼処理部１１に対してＵＥ−セル間同期が取れたことを通知する（ステップＳ００７）。なお、この通知にはセルＩＤが含まれる。セルＣとセルＤのセルＩＤが同一であるため、この時点では、ＵＥ１０は、同期したセルがセルＣであるかセルＤであるかを区別できない。
【００５９】
次に、前記通知を受けたＵＥ１０の呼処理部１１は、基地局２０Ｂの呼処理部２１との呼接続を維持しようとする。しかしながら、セルＤにはＵＥ１０との呼が無いため、呼接続の継続失敗し、呼が解放されてしまう（ステップＳ００８）。
【００６０】
ＵＥ１０の呼処理部１１は、上記ステップＳ００４からＳ００８に到る事象の発生、すなわち、セルＩＤ＝ｙのセルＣと、一時的に同期が外れた後、ＵＥ−セル間の同期が取れたが呼解放されてしまったことを記憶する（ステップＳ００９；同一セルＩＤ検出条件成立）。
【００６１】
その後、ＵＥ１０のＲＳ同期部１２は、セルＣから送信されるＲＳを受信し、ＵＥ１０とセルＣが同期した状態となる（ステップＳ１０１）。なお同期するセルはセルＣのほか、セルＤまたはその他のセルであってもかまわない。
【００６２】
次に、ＵＥ１０のＲＳ同期部１２は、ＵＥ１０の呼処理部１１に対してＵＥ−セル間同期が取れたことを通知する（ステップＳ１０２）。
【００６３】
次に、前記通知を受けたＵＥ１０の呼処理部１１と、基地局２０Ａの呼処理部２１との間で呼接続に関係する信号が送受信され、呼接続状態となる（ステップＳ１０３）。
【００６４】
最後に、ＵＥ１０の呼処理部１１は、基地局２０Ａの呼処理部２１に対して、前記ステップＳ００９で記憶した内容（セルＩＤ＝ｘのセルにおいて同一セルＩＤ検出条件成立）を報告する（ステップＳ１０４）。
【００６５】
以上により、基地局２０ＡはセルＩＤ＝ｘを持つ自基地局のセルを含めた周辺セルにおいて既述条件ａ，ｂを満たしていないことを知る。
【００６６】
このようにして、本実施形態では、セル間非同期の環境において、同一セルＩＤが設定されたセルがあることを記憶し、後に基地局に報告することが可能となる。
【００６７】
以上、本発明の好適な実施形態を説明したが、本発明は、上記した実施形態に限定されるものではなく、本発明の基本的技術的思想を逸脱しない範囲で、更なる変形・置換・調整を加えることができる。例えば、上記した第１の実施形態の移動局（ＵＥ）に、非特許文献２の同一セルＩＤ検出機能も備えることも可能である。このようにすれば、セル間同期しているか否かに拘らず、一定の事象の発生で同一セルＩＤの設定を検出できる移動局を得ることが可能となる。
本発明の全開示（請求の範囲を含む）の枠内において、さらにその基本的技術思想に基づいて、実施例ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【符号の説明】
【００６８】
１０  移動局（ＵＥ）
１１  呼処理部
１２  ＲＳ同期部
２０  基地局
２１  呼処理部
２２  ＲＳ送信部
【図１】
2010090232.tif 000003
【図２】
2010090232.tif 000004
【図３】
2010090232.tif 000005
【図４】
2010090232.tif 000006
【図５】
2010090232.tif 000007
【図６】
2010090232.tif 000008
【図７】
2010090232.tif 000009
【図８】
2010090232.tif 000010
【図９】
2010090232.tif 000011
【国際調査報告】
2010090232.tif 000012
2010090232.tif 000013
2010090232.tif 000014